(57)【要約】【課題】  放射線撮影システムに使用されるカセッテにおいて、カセッテに収容した蓄積性蛍光体シートに残存する放射線エネルギを効率良く消去する【解決手段】  放射線照射部１０から放射線を照射した放射線撮影により被写体Ｍ１を示す放射線像をカセッテ１００に収容した蓄積性蛍光体シート１に記録し、この記録された放射線像を読取部２０で読み取る。つづいて、消去部１５により、通常撮影における一定の撮影感度Ｒｓ４００による次の放射線撮影を前提として定めた消去エネルギを付与して蓄積性蛍光体シート１に記録された上記放射線像を消去した後、カセッテ１００が、上記所定の撮影感度Ｒｓ４００より高い撮影感度での放射線撮影におけるカセッテ１００の使用を警告する画像を液晶表示部６０に表示する。【選択図】          図１
2005274803.tif 000002
【特許請求の範囲】
【請求項１】
カセッテに収容した蓄積性蛍光体シートに、放射線撮影により被写体を示す放射線像を記録した後、該蓄積性蛍光体シートに残存する放射線エネルギのエネルギレベルの最大値が大きくなるほど大きくなるように、所定の撮影感度による次の放射線撮影を前提として定めた消去エネルギを付与して該蓄積性蛍光体シートに記録した前記放射線像を消去し、該消去後の蓄積性蛍光体シートを前記放射線撮影に繰り返し使用する放射線撮影システムにおいて、
前記カセッテが、前記所定の撮影感度より高い撮影感度での放射線撮影における前記カセッテの使用を警告する表示手段を有していることを特徴とする放射線撮影システム。
【請求項２】
カセッテに収容した蓄積性蛍光体シートに、放射線撮影により被写体を示す放射線像を記録した後、該蓄積性蛍光体シートに残存する放射線エネルギのエネルギレベルの最大値が大きくなるほど大きくなるように、所定の撮影感度による次の放射線撮影を前提として定めた消去エネルギを付与して該蓄積性蛍光体シートに記録した前記放射線像を消去し、該消去後の蓄積性蛍光体シートを前記放射線撮影に繰り返し使用する放射線撮影システムにおいて、
前記所定の撮影感度を記憶する記憶手段と、
前記カセッテを使用した次の放射線撮影における撮影感度を検出する検出手段と、
前記記憶手段に記憶された所定の撮影感度と前記検出手段で検出された次の放射線撮影における撮影感度とを比較し、前記次の放射線撮影における撮影感度が前記所定の撮影感度を超えた場合に警告信号を出力する撮影感度比較手段と、
前記警告信号の出力に基づいて前記次の放射線撮影における前記カセッテの使用が不適切であることを警告する警告手段とを備えたことを特徴とする放射線撮影システム。
【請求項３】
放射線撮影により被写体を示す放射線像を蓄積性蛍光体シートに記録した後、該蓄積性蛍光体シートに残存する放射線エネルギのエネルギレベルの最大値が大きくなるほど大きくなるように、所定の撮影感度による次の放射線撮影を前提として定めた消去エネルギを付与して該蓄積性蛍光体シートに記録した前記放射線像を消去し、該消去後の蓄積性蛍光体シートを前記放射線撮影に繰り返し使用する放射線撮影システムで使用される前記蓄積性蛍光体シートを収容したカセッテにおいて、
前記所定の撮影感度より高い撮影感度での放射線撮影における前記カセッテの使用を警告する表示手段を有していることを特徴とするカセッテ。
【請求項４】
放射線撮影により被写体を示す放射線像を蓄積性蛍光体シートに記録した後、該蓄積性蛍光体シートに残存する放射線エネルギのエネルギレベルの最大値が大きくなるほど大きくなるように、所定の撮影感度による次の放射線撮影を前提として定めた消去エネルギを付与して該蓄積性蛍光体シートに記録した前記放射線像を消去し、該消去後の蓄積性蛍光体シートを前記放射線撮影に繰り返し使用する放射線撮影システムで使用される前記蓄積性蛍光体シートを収容したカセッテにおいて、
前記所定の撮影感度を記憶する記憶手段と、
前記次の放射線撮影における撮影感度を検出する検出手段と、
前記記憶手段に記憶された所定の撮影感度と前記検出手段で検出された次の放射線撮影における撮影感度とを比較し、前記次の放射線撮影における撮影感度が前記所定の撮影感度を超えた場合に警告信号を出力する撮影感度比較手段と、
前記警告信号の出力に基づいて前記次の放射線撮影における前記カセッテの使用が不適切であることを警告する警告手段とを備えたことを特徴とするカセッテ。
【発明の詳細な説明】
【技術分野】
【０００１】
本発明は放射線撮影システムおよびカセッテに関し、詳しくは、放射線撮影により被写体を示す放射線像を蓄積性蛍光体シートに記録した後、蓄積性蛍光体シートに消去を施してこの蓄積性蛍光体シートを放射線撮影に繰り返し使用する放射線撮影システムおよび上記蓄積性蛍光体シートを収容したカセッテに関するものである。
【背景技術】
【０００２】
放射線を照射するとこの放射線エネルギの一部が蓄積され、その後可視光等の励起光を照射すると蓄積されたエネルギに応じて輝尽発光を示す蓄積性蛍光体（輝尽性蛍光体）を利用して、人体等の被写体の放射線像を一旦蓄積性蛍光体シートに記録し、この蓄積性蛍光体シートをレーザ光等の励起光で走査して輝尽発光光を生ぜしめ、得られた輝尽発光光を光電的に読み取って画像信号を得る放射線撮影システムがすでによく知られている。
【０００３】
上記のような放射線撮影システムにおいては、蓄積性蛍光体シートから放射線像を読み取った後、可視波長領域の光である消去光を照射して上記蓄積性蛍光体シートに残存する放射線エネルギを放出させ、この蓄積性蛍光体シートを再び上記放射線像の記録に使用している。
【０００４】
上記消去を行って放射線エネルギを放出させた蓄積性蛍光体シートには、放出し尽くせない放射線エネルギが引きつづき残存することがある。この引きつづき残存する放射線エネルギは、上記のようにして記録された放射線像に起因するものであって、次回この蓄積性蛍光体シートに被写体の放射線像を記録しこの放射線像を読み取り再生したときに、そのエネルギレベルが無視できないレベルであると、この放射線エネルギが蓄積性蛍光体シートを読み取って再生した画像中に残像として再生され、この残像がノイズとなる。
【０００５】
このため、画像中に上記残像が現れないように蓄積性蛍光体シートを消去する際の消去エネルギの大きさを定める種々の方式が提案されている。例えば、次に行われる放射線撮影の撮影感度に応じて消去エネルギの付与量を定めたり追加消去を行ったりする方式（特許文献１参照）等が知られている。
【０００６】
また、蓄積性蛍光体シートを収容したカセッテを使用した放射線撮影システムの場合には、カセッテを撮影装置に装着し蓄積性蛍光体シートに被写体の放射線像を記録して上記カセッテを上記撮影装置から取り外した後、このカセッテを読取消去装置に装着し上記蓄積性蛍光体シートに記録した上記放射線像を読み取り、続いてこの放射線像を消去して上記カセッテを繰り返し放射線撮影に使用している（特許文献２参照）。なお、上記カセッテを用いた放射線撮影システムでは、複数の放射線撮影装置、複数の放射線像読取消去装置、および複数のカセッテを任意に組み合わせて上記撮影、読取り、消去を実施する場合もある。
【特許文献１】特開平１０−３４０９２０号公報
【特許文献２】特開２００３−０２９３５９号公報
【発明の開示】
【発明が解決しようとする課題】
【０００７】
ところで、上記カセッテを用いた放射線撮影システムでは、次の放射線撮影での撮影条件を予め定めてからカセッテに消去を施すわけではなく、どのような撮影条件で使用しても、すなわち、想定される撮影条件のうち撮影感度の最も高い条件（蓄積性蛍光体シートへの放射線の曝射量が最も少ない撮影条件）で使用しても上記残像が現れないように、蓄積性蛍光体シートに十分な消去エネルギを付与する消去を実施している。
【０００８】
しかしながら、上記消去が施された後に、引きつづき蓄積性蛍光体シートに残存する放射線エネルギのエネルギレベルが、次の放射線撮影によってこの蓄積性蛍光体シートに蓄積される放射線エネルギのエネルギレベルに対して所定以下の比率であれば、放射線像を示す画像中に上記消去後エネルギによる残像を目立たないように、あるいは、見えないようにすることができるので、必ずしも上記最も高い撮影感度での撮影を想定して全ての消去を実施する必要はない。また、上記消去において十分な消去エネルギを付与するためには、消去光の光量を増大させたり、また、光量が同じであれば消去光の照射時間を長くしたりするが、いずれの場合も放射線撮影の前に実施する消去での消去エネルギの消費量が増大し消去用ランプの寿命が短くなる。
【０００９】
そのため、カセッテを使用した放射線撮影システムにおいても、上記消去エネルギの付与量を抑制したいという要請がある。
【００１０】
本発明は、上記事情に鑑みてなされたものであり、カセッテに収容されて放射線撮影に繰り返し使用される蓄積性蛍光体シートに残存する放射線エネルギを効率良く消去することができる放射線撮影システムおよびカセッテを提供することを目的とするものである。
【課題を解決するための手段】
【００１１】
本発明の第１の放射線撮影システムは、カセッテに収容した蓄積性蛍光体シートに、放射線撮影により被写体を示す放射線像を記録した後、この蓄積性蛍光体シートに残存する放射線エネルギのエネルギレベルの最大値が大きくなるほど大きくなるように、所定の撮影感度による次の放射線撮影を前提として定めた消去エネルギを付与して蓄積性蛍光体シートに記録した放射線像を消去し、消去後の蓄積性蛍光体シートを放射線撮影に繰り返し使用する放射線撮影システムにおいて、前記カセッテが、所定の撮影感度より高い撮影感度での放射線撮影におけるこのカセッテの使用を警告する表示手段を有していることを特徴とするものである。
【００１２】
本発明の第２の放射線撮影システムは、カセッテに収容した蓄積性蛍光体シートに、放射線撮影により被写体を示す放射線像を記録した後、この蓄積性蛍光体シートに残存する放射線エネルギのエネルギレベルの最大値が大きくなるほど大きくなるように、所定の撮影感度による次の放射線撮影を前提として定めた消去エネルギを付与して蓄積性蛍光体シートに記録した放射線像を消去し、消去後の蓄積性蛍光体シートを放射線撮影に繰り返し使用する放射線撮影システムにおいて、所定の撮影感度を記憶する記憶手段と、前記カセッテを使用した次の放射線撮影における撮影感度を検出する検出手段と、記憶手段に記憶された所定の撮影感度と検出手段で検出された次の放射線撮影における撮影感度とを比較し、次の放射線撮影における撮影感度が所定の撮影感度を超えた場合に警告信号を出力する撮影感度比較手段と、前記警告信号の出力に基づいて次の放射線撮影における前記カセッテの使用が不適切であることを警告する警告手段とを備えたことを特徴とするものである。
【００１３】
本発明の第１のカセッテは、放射線撮影により被写体を示す放射線像を蓄積性蛍光体シートに記録した後、この蓄積性蛍光体シートに残存する放射線エネルギのエネルギレベルの最大値が大きくなるほど大きくなるように、所定の撮影感度による次の放射線撮影を前提として定めた消去エネルギを付与して蓄積性蛍光体シートに記録した放射線像を消去し、消去後の蓄積性蛍光体シートを放射線撮影に繰り返し使用する放射線撮影システムで使用されるこの蓄積性蛍光体シートを収容したカセッテにおいて、所定の撮影感度より高い撮影感度での放射線撮影におけるこのカセッテの使用を警告する表示手段を有していることを特徴とするものである。
【００１４】
本発明の第２のカセッテは、放射線撮影により被写体を示す放射線像を蓄積性蛍光体シートに記録した後、この蓄積性蛍光体シートに残存する放射線エネルギのエネルギレベルの最大値が大きくなるほど大きくなるように、所定の撮影感度による次の放射線撮影を前提として定めた消去エネルギを付与して蓄積性蛍光体シートに記録した放射線像を消去し、消去後の蓄積性蛍光体シートを放射線撮影に繰り返し使用する放射線撮影システムで使用される前記蓄積性蛍光体シートを収容したカセッテにおいて、所定の撮影感度を記憶する記憶手段と、次の放射線撮影における撮影感度を検出する検出手段と、記憶手段に記憶された所定の撮影感度と検出手段で検出された次の放射線撮影における撮影感度とを比較し、次の放射線撮影における撮影感度が前記所定の撮影感度を超えた場合に警告信号を出力する撮影感度比較手段と、この警告信号の出力に基づいて次の放射線撮影におけるこのカセッテの使用が不適切であることを警告する警告手段とを備えたことを特徴とするものである。
【００１５】
前記カセッテは、上記放射線システムを構成する放射線撮影装置や消去装置に着脱して使用するものである。
【００１６】
前記所定の撮影感度は一定の撮影感度とすることができる。
【００１７】
以下に、所定の撮影感度の放射線撮影（以後、通常感度撮影ともいう）と、この所定の撮影感度より高い撮影感度の放射線撮影（以後、高感度撮影ともいう）との関係について説明する。
【００１８】
上記高感度撮影は、通常感度撮影に比して被写体への放射線の曝射量を少なくした放射線撮影が要求される場合に実施するものであり、この高感度撮影では蓄積性蛍光体シートに到達する放射線量が通常感度撮影時より少ない。そのため、上記高感度撮影に使用する蓄積性蛍光体シートに許容する残存放射線エネルギのエネルギレベルは、この高感度撮影より放射線の曝射量が大きい通常感度撮影に使用する蓄積性蛍光体シートに許容する残存放射線エネルギのエネルギレベルより小さくなる。したがって、上記所定の撮影感度による次の放射線撮影を前提として定めた蓄積性蛍光体シートへの消去エネルギの付与量は、この蓄積性蛍光体シートに残存する放射線エネルギのエネルギレベルの最大値が大きくなるほど大きくする。なお、上記残存放射線エネルギは、蓄積性蛍光体シートに残存する放射線エネルギを意味するものである。
【発明の効果】
【００１９】
本発明の第１の放射線撮影システムおよび第１のカセッテによれば、所定の撮影感度による次の放射線撮影を前提として定めた消去エネルギを付与して蓄積性蛍光体シートに記録した放射線像を消去し、上記蓄積性蛍光体シートを収容したカセッテが、上記所定の撮影感度より高い撮影感度での放射線撮影におけるこのカセッテの使用を警告する表示手段を有しているので、上記カセッテの使用を警告する表示があるときにのみ蓄積性蛍光体シートに追加消去を施して撮影感度の最も高い放射線撮影でも上記残像が現れないようにし、上記カセッテの使用を警告する表示がないときには追加消去を施すことなく放射線撮影を実施するようにでき、撮影感度の最も高い放射線撮影を想定して行う消去の回数を減少させることができる。これにより、消去エネルギの消費量を抑制することができるので、蓄積性蛍光体シートに施す消去を効率良く実施することができる。
【００２０】
本発明の第２の放射線撮影システムおよび第２のカセッテによれば、所定の撮影感度による次の放射線撮影を前提として定めた消去エネルギを付与してこの蓄積性蛍光体シートに記録した放射線像を消去し、次の放射線撮影における撮影感度が所定の撮影感度を超えた場合に、次の放射線撮影におけるカセッテの使用が不適切であることを警告するようにしたので、上記警告がなされたときにのみ蓄積性蛍光体シートに追加消去を施して撮影感度の最も高い放射線撮影でも上記残像が現れないようにし、上記カセッテの使用を警告する表示がないときには追加消去を施すことなく放射線撮影を実施するようにでき、撮影感度の最も高い放射線撮影を想定して行う消去の回数を減少させることができる。これにより、消去エネルギの消費量を抑制することができるので、蓄積性蛍光体シートに施す消去を効率良く実施することができる。
【発明を実施するための最良の形態】
【００２１】
以下、本発明の実施の形態について、図面を用いて説明する。図１は本発明の実施の形態による放射線撮影システムおよびこの放射線撮影システムで使用されるカセッテの概略構成を示す図である。
【００２２】
図示の放射線撮影システム２００は、カセッテ１００に収容した蓄積性蛍光体シート１に、放射線撮影により被写体Ｍ１を示す放射線像を記録した後、該蓄積性蛍光体シート１に残存する放射線エネルギのエネルギレベルの最大値が大きくなるほど大きくなるように、所定の撮影感度、例えば通常撮影における一定の撮影感度Ｒｓ４００による次の放射線撮影を前提として定めた消去エネルギを付与してこの蓄積性蛍光体シート１に記録した放射線像を消去し、消去後の蓄積性蛍光体シート１を放射線撮影に繰り返し使用するものである。この放射線撮影システム２００は、上記放射線撮影を行うための放射線を照射する放射線照射部１０と、蓄積性蛍光体シート１を読み取って被写体の放射線像を示す画像データを取得する読取部２０と、上記消去を行う消去部１５とを備えている。
【００２３】
上記放射線撮影システム２００で使用されるカセッテ１００は、所定の撮影感度（上記通常撮影における撮影感度Ｒｓ４００）より高い撮影感度での放射線撮影におけるこのカセッテの使用を警告する表示を行う液晶表示部６０と、所定の撮影感度（上記撮影感度Ｒｓ４００）を記憶する記憶部６５と、次の放射線撮影における撮影感度を検出する検出部７０と、記憶部６５に記憶された所定の撮影感度（上記通常の撮影感度Ｒｓ４００）および上記検出部７０で検出された次の放射線撮影における撮影感度を入力し上記２つの撮影感度を比較し次の放射線撮影における撮影感度が上記所定の撮影感度を超えた場合に警告信号Ｒを出力する撮影感度比較部７５と、警告信号Ｒを入力し次の放射線撮影におけるこのカセッテ１００の使用が不適切であることを警告する警告部８０とを備えている。
【００２４】
上記放射線照射部１０は、放射線の照射量を制御する制御部と、この制御部の制御のもとで放射線を照射する放射線源とで構成されている。
【００２５】
読取部２０は、励起光Ｌｅを蓄積性蛍光体シート１に照射する励起光照射部２１と、励起光Ｌｅの照射を受けて蓄積性蛍光体シート１から発生した輝尽発光光Ｋｅを検出し被写体の放射線像を示す画像データを出力する読取受光部２５とを備えている。
【００２６】
励起光照射部２１は、レーザ光源２２から射出された励起光Ｌｅを蓄積性蛍光体シート１上の主走査方向（図中Ｘ方向）に延びる線状領域に集光させる光学系２３を有している。
【００２７】
読取受光部２５は、励起光Ｌｅの照射を受けた蓄積性蛍光体シート１の上記線状領域から発生した輝尽発光光Ｋｅを後述する受光部２７上の線状領域に集光する光学系２６と、光学系２６により集光させた上記輝尽発光光Ｋｅを受光し光電変換する上記主走査方向に延びるラインセンサである受光部２７と、受光部２７で光電変換したアナログ画像信号をディジタル信号からなるイメージデータに変換し画像データとして出力するＡ／Ｄ変換器２８とを有している。
【００２８】
上記読取部２０と消去部１５とは、放射線撮影システム２００が備える昇降駆動部３１により、蓄積性蛍光体シート１の表面に沿って、上記主走査方向と直交する副走査方向（図中矢印Ｙ方向）に往復運動（図１では上昇／下降）せしめられて、蓄積性蛍光体シート１の読取りや消去を行う。
【００２９】
さらに、上記放射線撮影システム２００は、装置全体の情報および動作を制御するコントローラ３５を備えている。
【００３０】
以下、上記実施の形態における作用について、各ステップ毎に説明する。なお、以下の各ステップに示す動作は主にコントローラ３５によって制御されて実施するものである。
【００３１】
ステップ（１）：カセッテ１００を、放射線照射部１０から放射線を照射して放射線撮影を実施するための所定の位置Ｊ１に配置する。シート取出部３４により、カセッテ１００から蓄積性蛍光体シート１を引き出し蓄積性蛍光体シート１を撮影位置Ｋ１に配置する。
【００３２】
ステップ（２）：カセッテ１００に配設された情報通信部８２とコントローラ３５に接続された情報通信部３８との通信を介して、記憶部６５が、コントローラ３５から上記所定の撮影感度（上記撮影感度Ｒｓ４００）を示すデータを入力し記憶する。なお、この通信は、例えば電波や光を用いた通信手段を採用することができる。
【００３３】
ステップ（３）：放射線照射部１０から発せられ被写体Ｍ１を通った放射線Ｌｘが蓄積性蛍光体シート１に照射され、この蓄積性蛍光体シート１に被写体Ｍ１を示す放射線像が記録される。
【００３４】
ステップ（４）：昇降駆動部３１の駆動により、読取部２０が１方向に移動し、この読取部２０が蓄積性蛍光体シート１を読み取り、被写体Ｍ１の放射線像を示す画像データである撮影画像データＧｓ１を取得し外部に出力する。
【００３５】
ステップ（５）：昇降駆動部３１の駆動により、消去部１５が移動し、この消去部１５が、次の放射線撮影が上記通常の撮影感度Ｒｓ４００であることを前提として、蓄積性蛍光体シート１に残存する放射線エネルギのエネルギレベルの最大値が大きくなるほど大きくなるように定めた消去エネルギを付与し蓄積性蛍光体シート１に記録された上記放射線像を消去する。
【００３６】
上記消去により、蓄積性蛍光体シート１に残存する残像を示す放射線エネルギのエネルギレベルの最大値を予め定められた概略一定の値とし、上記通常の撮影感度Ｒｓ４００による放射線撮影によって蓄積される放射線エネルギのエネルギレベルと上記残像を示す放射線エネルギのエネルギレベルの最大値との比率が概略所望の比率となるようにする。この所望の比率は、消去エネルギを必要以上に付与することなく、かつ、蓄積性蛍光体シート１を読み取って被写体を示す放射線像の画像を表示させたときに上記残像が実質的に視認されないようにする比率である。
【００３７】
ステップ（６）：上記情報通信部８２と情報通信部３８との通信により、上記所定の撮影感度（撮影感度Ｒｓ４００）を前提とした消去が実施されたこと示すデータを情報通信部８２を通してカセッテ１００が入力すると、液晶表示部６０が通常の撮影感度Ｒｓ４００より高い撮影感度での放射線撮影におけるこのカセッテの使用を警告する表示を行う。例えば、液晶表示部６０に「Ｒｓ４００を超える撮影不可」の文字が表示される。
【００３８】
ステップ（７）：カセッテ１００に蓄積性蛍光体シート１が収容され。カセッテ１００が、放射線撮影を実施するための位置Ｊ１から取り外される。
【００３９】
ステップ（８）：上記放射線照射部１０、読取部２０、および消去部１５と同様の機能を有する放射線撮影システム２００中の他の放射線照射部１０Ａ、読取部２０Ａ、および消去部１５Ａを利用した次の放射線撮影にカセッテ１００を使用するために、上記カセッテ１００を所定の位置Ｊ２に配置する。なお、上記放射線照射部１０Ａ、読取部２０Ａ、および消去部１５Ａもコントローラ３５によって制御されるものである。
【００４０】
ステップ（９）：カセッテ１００が上記位置Ｊ２に配置されると、検出部７０が、カセッテ１００に配置された上記情報通信部８２とコントローラ３５に接続された情報通信部３８Ａとの通信を通して、ここで実施する放射線撮影の撮影感度を入力し記憶する。
【００４１】
ステップ（１０）：撮影感度比較部７５は、上記記憶部６５に記憶された所定の撮影感度（撮影感度Ｒｓ４００）と検出部７０で検出した次の放射線撮影における撮影感度とを入力し、上記次の放射線撮影における撮影感度が上記所定の撮影感度を超えた場合に警告部８０に警告信号を出力する。その後、後述のステップ（１１Ｂ−１）およびステップ（１１Ｂ−２）を実行する。一方、上記次の放射線撮影における撮影感度が上記撮影感度Ｒｓ４００を超えていない場合には後述のステップ（１１Ａ−１）を実行する。
【００４２】
１１Ａ−１：カセッテ１００をそのまま使用して、放射線照射部１０Ａから放射線を照射して被写体Ｍ２の放射線撮影を実施する。
【００４３】
１１Ｂ−１：上記所定の信号を入力した警告部８０が、次の放射線撮影におけるカセッテ１００の使用が不適切であることを警告する。この警告は、ランプの点灯や画像による表示、音声、あるいは振動等の方式を採用することができる。
【００４４】
１１Ｂ−２：警告部８０により警告がなされた場合には、蓄積性蛍光体シート１に対して追加消去を施した後に、この放射線照射部１０Ａから放射線を照射して被写体Ｍ２の放射線撮影を実施する。この追加消去は自動的に実施するようにしてもよいし、手動で実施するようにしてもよい。
【００４５】
このように、所定の撮影感度（撮影感度Ｒｓ４００）を超える撮影感度で放射線撮影を実施するときにのみカセッテ１００に収容した蓄積性蛍光体シート１に追加消去を施すことで、消去エネルギの消費を抑制することができ、蓄積性蛍光体シートに施す消去を効率良く実施することができる。
【００４６】
なお、次の放射線撮影を行う位置Ｊ２にカセッテ１００を配置するときには、すでにカセッテ１００の液晶表示部６０に「Ｒｓ４００を超える撮影不可」の文字が表示されているので、この表示を参照し、手動でこのカセッテ１００に収容した蓄積性蛍光体シート１に追加消去を施してから、放射線照射部１０Ａからの放射線照射による所定の撮影感度（撮影感度Ｒｓ４００）を超える撮影感度での放射線撮影を実施するようにしてもよい。なお、このようにする場合には、カセッテ１００に記憶部６５、検出部７０、撮影感度比較部７５および警告部８０を配置しなくとも上記と同様の効果を得ることができる。すなわち、このカセッテ１００に記憶部６５、検出部７０、撮影感度比較部７５、および警告部８０を備えることなく上記表示部６０のみを備えるようにし、カセッテを、所定の撮影感度より高い撮影感度での放射線撮影におけるこのカセッテの使用を警告する表示のみを行うものとしてもよい。
【００４７】
また、上記カセッテ１００に、上記記憶部６５、検出部７０、撮影感度比較部７５、および警告部８０を備える代わりに、カセッテ１００以外の上記放射線撮影システム２００の他の構成部分が上記各機能を代替するようにしてもよい。図２はカセッテ以外の放射線撮影システムの他の構成部分が上記カセッテの各機能を代替するようにした放射線撮影システムおよびこの放射線システムで使用されるカセッテの概略構成を示す図である。
【００４８】
図２に示すように、上記放射線撮影システム２００Ｅは、カセッテ１００Ｅ以外の上記放射線撮影システム２００Ｅの構成部分に、所定の撮影感度を記憶する記憶部６５Ｅと、カセッテ１００Ｅを使用した次の放射線撮影における撮影感度を検出する検出部７０Ｅと、上記記憶部６５Ｅに記憶された所定の撮影感度および上記検出部７０Ｅで検出された次の放射線撮影における撮影感度を入力し上記２つの撮影感度を比較し上記次の放射線撮影における撮影感度が上記所定の撮影感度を超えた場合に警告信号Ｒを出力する撮影感度比較部７５Ｅと、警告信号Ｒを入力し次の放射線撮影におけるこのカセッテ１００Ｅの使用が不適切であることを警告する警告部８０Ｅとを備えたものである。この場合には、記憶部６５Ｅがコントローラ３５から所定の撮影感度を直接入力し、検出部７０Ｅがコントローラ３５からカセッテ１００Ｅを使用した次の放射線撮影における撮影感度を直接入力する。
【００４９】
上記記憶部６５Ｅ、検出部７０Ｅ、撮影感度比較部７５Ｅ、および警告部８０Ｅ以外の構成および動作は上記放射線撮影システム２００およびこの放射線システムで使用されるカセッテ１００と同様であり、このように構成した放射線撮影システム２００Ｅにおいて、記憶部６５Ｅ、検出部７０Ｅ、撮影感度比較部７５Ｅ、および警告部８０Ｅに対して、上記記憶部６５、検出部７０、撮影感度比較部７５、および警告部８０と同様の動作をさせることにより、上記放射線撮影システム２００およびこの放射線システムで使用されるカセッテ１００と同様の効果を得ることができる。
【図面の簡単な説明】
【００５０】
【図１】本発明の実施の形態による放射線撮影システムおよびカセッテの概略構成を示す図
【図２】カセッテ以外の放射線撮影システムの他の構成部分がカセッテの各機能を代替するようにした放射線撮影システムおよびカセッテの概略構成を示す図
【符号の説明】
【００５１】
１    蓄積性蛍光体シート
１０    放射線照射部
１５    消去部
２０    読取部
６０    液晶表示部
６５    記憶部
７０    検出部
７５    撮影感度比較部
８０    警告部
１００    カセッテ
２００    放射線撮影システム
Ｍ１    被写体
Ｒ    警告信号
【図１】
2005274803.tif 000003
【図２】
2005274803.tif 000004